(57)【要約】      （修正有）【課題】座位保持装置であるシートに関し、より詳細には、限定するものではないが、幼児および小児による使用に適したシートを提供する。【解決手段】シート１０は、シート形成部２１と、シート形成部から延在するバックレスト２２と、シート形成部から延在する２つの相対するサイドサポート２３と、を備えるシェル２０を備える。フロントピラー２４は、シート形成部から延在し、使用者の脚を受ける開口２５を形成するように、相対するサイドサポートの端部から離間されている。またシェルは、シート形成部のレベルより下で下向きに作動的に延びる外側スカート２６を備える。シートは、シェルに対し取り外し可能に固定できるベース３０をさらに備え、シェルに対するベースの固定高さが、調節可能であることを特徴とする。【選択図】図１
0003197900.tif 000002
【実用新案登録請求の範囲】
【請求項１】
幼児または小児を受けるのに適したシートであって、
前記シートが、
シート形成部と、
前記シート形成部から延在するバックレストと、
前記シート形成部から延在する２つの相対するサイドサポートと、
前記シート形成部から延在するフロントピラーであって、使用者の脚を受ける開口を形成するように前記相対するサイドサポートの端部から離間されたフロントピラーと、
を備えるシェルであって、前記シート形成部のレベルより下で下向きに作動的に延びる外側スカートを含む、シェルと、
前記シェルに対し取り外し可能に固定できるベースと、
を含み、
前記シェルに対する前記ベースの固定高さが、調節可能であることを特徴とするシート。
【請求項２】
前記ベースは、複数の異なる角度配向において、前記シェルから突出する前記ベースの量が各々の異なる配向で異なるようにして、前記シェルの内側に嵌まるように構成および寸法決定されている請求項１に記載のシート。
【請求項３】
前記ベースが前記シェルに第１の配向で固定されると、前記ベース上の第１の組の係合形成部が前記シェル上の第２の組の係合形成部のうちの一方と係合し、かつ前記ベースが前記シェルに第２の配向で固定されると、前記ベース上の第１の組の係合形成部が、前記シェル上の第２の組の係合形成部のうちの他方と係合するために、第１の組の係合形成部が前記ベースに設けられ、かつ少なくとも２つの組の第２の係合形成部が前記シェルに設けられていることを特徴とする請求項１または２に記載のシート。
【請求項４】
前記シェルの内側で前記ベースと前記シート形成部との間に内部保管領域を規定するように前記ベースが前記シェルに対し固定されると、前記ベースと前記シート形成部とは離間されている請求項１から３のいずれか一項に記載のシート。
【請求項５】
前記シェルの前記シート形成部に対し取り外し可能に固定できるインナーサポートを備える請求項１から４のいずれか一項に記載のシート。
【請求項６】
トレイが前記フロントピラーに固定される使用位置において、および、トレイが前記シェルの後端に固定される保管位置において、前記シェルに対し取り外し可能に固定できるトレイを備える請求項１から５のいずれか一項に記載のシート。
【請求項７】
前記保管位置にあるとき前記トレイが前記シェルと面一になるように、シェルの後側が前記トレイを受けるように構成および寸法決定された凹領域を備える請求項６に記載のシート。
【考案の詳細な説明】
【技術分野】
【０００１】
本考案は座位保持装置に関し、より詳細には、限定するものではないが、幼児および小児による使用に適した座位保持装置に関する。
【背景技術】
【０００２】
多くの異なる幼児シートおよび小児シートが、市場において知られており、着座位置で自身を完全に支えることができない幼児のために使用することが特に一般的である。しかしながら、既存のシートの欠点は、既存のシートが限られたライフスパンを有していることである。特に補助シートとして大きな椅子に使用されている場合、シートの高さが望ましくないほど低いため、例えば、幼い小児は、シートが快適ではないことがある。また、幼い小児はとても早く、シートの着座領域よりも大きくなってしまう。最も人気のある幼児シートは通常、バケット式シートであり、バケットの幅が調節できず、幼児は年少時に、シートよりも大きくなってしまう。着座領域の幅を初めから大きくしておくことは、バケット式シートがその後、小さい幼児に十分なランバーサポートを提供しないので、望ましくない。
【０００３】
シートに取り外し可能に固定され得る取り外し可能なトレイを供給することは、より望ましい。トレイは、非常に役に立つ付属品であり、かつ食事トレイまたは遊戯トレイとして幼児が使用できる。既存のトレイ設計に関連する欠点は、トレイは、取り付けるのが常に容易とは限らないこと、および、トレイを取り付けまたは取り外すために、幼児を頻繁にシートから降ろす必要があることである。また、トレイは別に保管する必要があり、それによって、トレイが置き忘れられるか、または、紛失すらされてしまうことがある。
【０００４】
最後に、特に幼児がまだ小さいときには、シートの着座面は柔らかいことが望ましい。しかしながら、シートは、より頑丈でなければならず、かつ十分なレベルのサポートを提供するために十分に硬くなければならない。市場で使用可能なシートの一部は、実質的に剛性の材料からつくられたシェルと、より柔らかく、より柔軟性のある材料からつくられたインナーポート部分と、を備えている。これはうまく機能しているが、インナーサポートはしばしば、シェルから容易に取り外しできず、取り外しできる場合であっても、インナーサポートは別に保管する必要があり、それによって、インナーサポートが置き忘れられるか、または、紛失すらされてしまうことがある。例えば、幼児が年長になったときにインナーサポートを取り外すことにより、座位保持装置（seating arrangement）の着座容積（seating volume）を増加することができることは、有益であり得る。
【考案の概要】
【考案が解決しようとする課題】
【０００５】
したがって、本考案の目的は、上記の欠点を少なくとも部分的に軽減するシートを提供することである。
また、本考案の目的は、既存のシートに代わって有用となるシートを提供することでもある。
【課題を解決するための手段】
【０００６】
本考案によれば、幼児または小児を受けるのに適したシートが提供され、前記シートが、
シート形成部と、
シート形成部から延在するバックレストと、
シート形成部から延在する２つの相対するサイドサポートと、
シート形成部から延在するフロントピラーであって、使用者の脚を受ける開口を形成するように相対するサイドサポートの端部から離間された、フロントピラーと、
を備えるシェルであって、シート形成部のレベル（level）より下で下向きに作動的に（operatively）に延びる外側スカートを含む、シェルと、
前記シェルに対し取り外し可能に固定できるベースと、
を備え、シェルに対するベースの固定高さが、調節可能であることを特徴とするシートである。
シェルに対するベースの位置が異なる複数の位置でシェルに対し固定可能な、ベースが提供される。
外側スカートの内側に少なくとも部分的に嵌まるようになされたベースが提供され、かつベースがシェルから突出する量（extent）を調節することにより調節可能なベースの相対高さが提供される。
複数の異なる角度配向（angular orientations）において、シェルから突出するベースの量が各々の異なる配向で異なるようにして、シェルの内側に嵌まるように構成および寸法決定された、ベースが提供される。
【０００７】
一実施形態において、ベースがシェルに第１の配向で固定されると、第１の組の係合形成部が第２の係合形成部の組のうちの一方と係合し、かつベースがシェルに第２の配向で固定されると、第１の組の係合形成部が第２の係合形成部の組のうちの他方と係合するために、ベースに設けられた第１の組の係合形成部、およびシェルに設けられた少なくとも２つの組の第２の係合形成部が提供される。
バックレストとサイドサポートとは、連続していることを可能とする。
さらなる特徴は、シェルの内側においてベースとシート形成部との間に内部保管領域を規定するようにベースがシェルに固定されると、離間させられるベースおよびシート形成部を提供する。
内部保管領域へのアクセスを提供するために、取り外し可能なベースが提供される。
さらに、シェル、より詳細にはシェルのシート形成部に対し、取り外し可能に固定できるインナーサポートを含むシートが提供される。
インナーサポートは、シェルにおける保管領域の内側に嵌まるように構成および寸法決定可能である。
【０００８】
本考案のさらに別の特徴は、シェルに対し取り外し可能に固定できるトレイを備えるシートを提供する。
トレイおよびシェルは、相補的な係合形成部を含むことが可能である。
トレイが使用されるように構成された使用位置（operative position）と、トレイがシェルの後端に固定された保管位置（stowage position）とで、内側シェルに対し取り外し可能に固定できるトレイが提供される。
好ましくは、トレイの相補的な係合形成部を係合するのに適した係合形成部は、シェルのフロントピラーに設けられ、かつシェルの後側にも設けられる。
保管位置にあるときにトレイがシェルと面一になるように、トレイを受けるように構成および寸法決定された凹領域を備えるシェルの後側も提供される。
本考案の好ましい実施形態が、非限定的な例を用いて、添付の図面を参照しつつ説明される。
【図面の簡単な説明】
【０００９】
【図１】本考案の一実施形態によるシートの分解斜視図である。
【図２】図１のシートのシェルの斜視図である。
【図３】図２のシェルの側方断面図である。
【図４】図２のシェルの底面斜視図である。
【図５ａ】シートのベースが引き出された位置（extended position）にある状態の、図１のシートの正面透視図である。
【図５ｂ】シートのベースが格納された位置（retracted position）にある状態の、図１のシートの正面透視図である。
【図６】トレイがシートのフロントピラーに取り付けられた状態の、図１のシートの正面斜視図である。
【図７】トレイが保管位置へ動かされている過程にある、図１のシートの後面斜視図である。
【図８】インナーサポートがシェルの内側の保管領域内部に配置されている、図１のシートの底面斜視図である。
【考案を実施するための形態】
【００１０】
図面を参照すると、同様の符号は同様の特徴を示しており、本考案によるシートの非限定的な例が、参照符号１０により概して示されている。
図１〜図４を参照すると、シート１０は、シェル２０と、シェル２０に取り外し可能に固定できるベース３０と、シェル２０の内側に配置可能なインナーサポート４０と、を備えている。シートは、シェル２０に取り外し可能に固定できるトレイ５０も備えることができる。
シェル２０は、一体成型物品の形態であり、かつ使用中にシート１０に座っている子供の体重を支えるシート形成部２１を備えている。シート形成部２１は、シートに子供をぴったりと安定して受けるために、性質上いくらか窪んでいる。バックレスト２２は、シート形成部２１から実質的に垂直方向上向きに延在し、かつ使用中にシート１０に座っている子供にランバーサポートを提供する。２つのサイドサポート２３が、バックレスト２２の相対する端部にあるシート形成部２１から延在している。サイドサポート２３は、連続するＵ字形のバケット式シート構造を規定するために、バックレスト２２と一体的に形成されている。フロントピラー２４は、シート形成部２１の前方中央領域にて、シート形成部２１から延在している。フロントピラー２４は、シート１０に座っている子供の脚を受けるのに適した開口２５を規定するために、相対するサイドサポート２３の端部から離間されている。シェル２０の連続する外側壁は、連続する外側スカート２６において途切れており、外側スカート２６の縁部は使用時、シートが用いられる面の上に載る。
【００１１】
ベース３０は、シート１０の閉の底部を規定するように、シェル２０の外側スカート２６の内側にぴったりと嵌まるように構成および寸法決定されている。ベース３０は、第１の組の係合形成部３１、および第２の組の係合形成部３２を備えている。２つの組の係合形成部（３１および３２）は、互いに隣接して配置され、かつ機能的な係合形成部に関する限りにおいて、同一である。しかしながら、係合形成部の高さは異なり、第１の組の係合形成部３１が、第２の組の係合形成部３２よりも高くなっている。高さのこの相対的な差により、ベース３０がシェル２０に、異なる高さで、言い換えれば、ベースが上側スカート２６から突出する量が異なる位置に、固定可能となる。第１の組の係合形成部３１と第２の組の係合形成部３２との両方は、シェル２０の内側に設けられた相補的な第３の組の係合形成部２８と係合するように構成されている。係合形成部の構成は、ベース３０が第１の配向にあるとき、第１の組の係合形成部３１が第３の組の係合形成部２８と係合し、一方、ベースが第２の配向にあるとき、この場合、ベースが１８０度回転されると、第２の組の係合形成部３２が第３の組の係合形成部２８と係合するようになっている。この特徴によって、ベースの高さは、効果的に調節可能となっている。例えば、９０°間隔で、さらなる組の係合形成部を設けることにより、追加の中間位置が設けられてもよいことは、理解される。シートの有効高さの違いは、図５ａおよび図５ｂに見ることができ、図５ａではベースが最も高い位置にあり、かつ図５ｂでは格納された位置（retracted position）にある。考案者は、高さ調節機能は、例えば、他の方法で、たとえば固定可能なねじ係合構成を用いることにより、同様に実現可能であると考えている。また、２つの組の係合形成部がシェルに設けられ、かつ１つの組の係合形成部がベースに設けられることによって、係合形成部の位置が逆にされ得ることは、理解される。
【００１２】
シート１０は、インナーサポート４０をさらに備え、インナーサポート４０は柔らかくて曲げやすい材料からつくられ、かつインナーサポート４０はシェル２０により定められたバケット式シートの内側に嵌まるように構成および寸法決定されている。インナーサポート４０は、シート形成部４１と、シート形成部４１から上向きに延在する、連続する側部および背部の支持体４４と、使用中にシェル２０のフロントピラー２４が貫いて突出する開口４２と、を備えている。また、インナーサポート４０は、シェル２０から延在する締付ベルト（図示省略）を受ける２つのスロット４３を備えている。第１の構成において、インナーサポート４０は、シェル２０の内側に配置され、シートに座っている子供に対して柔らかくてぴったりとした着座環境を提供する。しかしながら、子供が成長するにつれて、より大きくなった子供に適応するようにバケット状のシートの容積を増やすため、インナーサポート４０を取り外すことが可能である。この時点において、子供はまた、シート１０のインナーサポート４０によって別に提供される追加のサポートを必要としなくなる。便利なことに、インナーサポート４０は、シェル２０の内部に保管できる。より具体的には、インナーサポート４０は、シェルの中空の底部の内部に設けられた保管領域（stowage area）２９の内部に保管できる。より具体的には、保管領域２９は、シート形成部２１の下面とベース３０との間に形成された隙間により規定されている。
【００１３】
インナーサポート４０は、より良い幼児のポジショニング（positioning）およびサポートのために、立ち上げられかつ体に合うように形成されたバックレスト（raised and contoured backrest）を備えている。この追加のサポートは、よちよち歩きの小児（toddler）に対してシートが使用されるときには必要とされず、これは、シェル２０が、同様の、立ち上げられかつ体に合うように形成されたバックレストを有する必要がないからである。これは、シェルを製造するとき、材料の節約をもたらす。
また、シート１０は、シェル２０に対し取り外し可能に固定できるトレイ５０を備えている。トレイ５０は、トレイ領域５１と、シェル２０にトレイを取り外し可能に固定する係合形成部５２と、を備えている。図６に示されるように、トレイが使用位置（operative position）にあるとき、トレイ５０は、シェル２０のフロントピラー２４に固定されることになる。これは、フロントピラー２４に設けられた相補的な係合形成部５３に係合するトレイ５０の係合形成部５２により、実現される。トレイ５０が必要とされないとき、トレイ５０は、取り外しでき、かつシェル２０の後面に便利に固定できる。より具体的には、相補的な係合形成部５４は、シェル２０の後面に設けられ、トレイ５０を、使用中でないとき、シェル２０にしっかりマウントすることができる。また、凹領域５５は、トレイ５０を受けるために設けられ、トレイ５０と凹領域５５とは、トレイが保管位置にあるとき、トレイ５０がシェル２０と面一になるように、相補的な輪郭が形成されている。
【００１４】
バックル受形成部６０は、シェル２０の側面に設けられ、かつ固定ベルト構成（securing belt arrangements）を保持するように適合されている。２つの固定ベルトが設けられてもよく、１つの固定ベルトは、シートが配置される、より大きい椅子の着座面（図示省略）に、シートを固定するために設けられ、かつ１つの固定ベルトは、シートが配置される、より大きい椅子のバックレスト（図示省略）に、シートを固定するために設けられてもよい。固定ベルトが使用中でないとき、ベルトは、ベルトバックルがバックル受形成部６０に固定された状態で、シェル２０の内部へと押し込むことができる。固定ベルトが必要とされるとき、バックルは、バックル形成部６０から単に取り外しできて、シートベルトをシェルから取り外すために外向きに引っ張られる。そのため、固定ベルトも、使用中でないとき、保管領域の内部に収容される。
【００１５】
多くの利点は、新規のシート設計と関連している。これらの利点は、以下の通りである。
・シートは、補助シートとしても、幼児のポジショナ（infant positioner）としても、使用することができる。
・シートは、椅子の上でのより良い機能性（better on-chair functionality）のために、および、より年長で及びより大きい子供に適応するために、高さ調節可能なベースを備えている。
・シートのインナーサポートは、幼児のポジショニングのために、立ち上げられかつ体に合うように形成されたバックレストを備えているが、シェルはこの特徴を共有しておらず、そのため、原材料のより効率的な使用をもたらしている。
・トレイは、子供をシートから降ろすことなく、取り付けおよび取り外しができる（背部への挿入）。
・トレイは、片手を用いて、取り付け／取り外しができる。
・インナーサポートは、シェルの内側に保管することができる。
・インナーサポートは、取り外し可能であるため、より年長の子供に対して大きな着座容積（seating volume）をもたらし、したがってシートのライフスパンを延ばせる。
【００１６】
上記は、本考案の一実施形態に過ぎず、かつ本考案の精神および／または範囲から逸脱することなく、多くの変形態様があり得ることは、理解される。
【符号の説明】
【００１７】
１０  シート
２０  シェル
２１  シート形成部
２２  バックレスト
２３  サイドサポート
２４  フロントピラー
２５  開口
２６  外側スカート
２８  第３の組の係合形成部
２９  保管領域
３０  ベース
３１  第１の組の係合形成部
３２  第２の組の係合形成部
４０  インナーサポート
４１  シート形成部
４２  開口
４３  スロット
４４  支持体
５０  トレイ
５１  トレイ領域
５２  係合形成部
５３  係合形成部
５４  係合形成部
５５  凹領域
６０  バックル受形成部
【図１】
0003197900.tif 000003
【図２】
0003197900.tif 000004
【図３】
0003197900.tif 000005
【図４】
0003197900.tif 000006
【図５ａ】
0003197900.tif 000007
【図５ｂ】
0003197900.tif 000008
【図６】
0003197900.tif 000009
【図７】
0003197900.tif 000010
【図８】
0003197900.tif 000011